(57)【要約】【課題】  本考案は、面ファスナーを用いることを特徴とする、杖の支柱に取り付ける杖の保持具等器具等を、支柱等に装着する為の、装着具を可能にする。【解決手段】  本考案は、帯状の巻物の形状で、巻き始めの部分に、装着する杖の保持具または器具等を装着し、次に、およそ１周目に当たる部分は、外側に面ファスナーの雌又は雄を装着し、内側にすべり止めを装着して、続くおよそ２周目に当たる部分は、外側に表面をカバーする表面カバーを装着し、内側に面ファスナーの雄又は雌を装着する。従って、杖の支柱等の直径に係わらず装着でき、支柱の下等から通す必要がなく、見た目には面ファスナーを使用していることが分からなく、外観も美しい装着具を可能にし、上述の問題を解決して福祉や生活利便の向上に役に立つ。【選択図】図１
0003120248.tif 000002
【実用新案登録請求の範囲】
【請求項１】
帯状の巻物の形状で、まず、巻き始めの部分に、装着する杖の保持具または器具等を装着し、次に、およそ１周目に当たる部分は、外側に面ファスナーの雌又は雄を装着し、内側にはすべり止めを付けると尚よく、続くおよそ２周目に当たる部分は、外側に表面をカバーする、皮、合皮、布、ビニール等適宜素材で形成した表面カバーを装着し、内側に面ファスナーの雄又は雌を装着した、面ファスナーを用いた装着具。
【請求項２】
請求項１の面ファスナーを用いた装着具で、２周目の末端は、そのままおよそ表面カバーの始点の辺りで切り、さらに、内径の変化によって現れる、表面カバーの始点と終点の間の１周目の面ファスナーを、表面カバーの色に近いものにした、請求項１の面ファスナーを用いた装着具。
【請求項３】
請求項１の面ファスナーを用いた装着具で、２周目の末端は、表面カバーの始点との合わせ目の少し手前で切り替えを設け、切り替えから末端にかけても、外側には表面カバーを装着し、内側には面ファスナーを装着した、請求項１の面ファスナーを用いた装着具。
【請求項４】
請求項１、３の面ファスナーを用いた装着具で、切り替えに近い部分は雄雌兼用の面ファスナーを用い、さらに、内径の変化によって現れる、表面カバーの始点と終点の間の１周目の面ファスナーを、表面カバーの色に近いものにした、請求項１、３の面ファスナーを用いた装着具。
【考案の詳細な説明】
【技術分野】
【０００１】  本考案は、杖の支柱に取り付ける杖の保持具等器具等を、支柱等に装着する為の、面ファスナーを用いた装着具である。
【背景技術】
【０００２】  従来の杖の保持具を杖に装着する装着具は、リング型のゴムで形成した装着具や略リング型のプラスチック等で形成した装着具だった。しかし、リング型の装着具は、杖の太さによってリングの直径を変える必要があったり、杖先ゴムを外さなければ装着できず、又、略リング型の装着具は、外れやすいという欠点があった。
【考案の開示】
【考案が解決しようとする課題】
【０００３】  従来の杖の保持具を杖に装着する装着具は、リング型の場合、杖の支柱の太さに合わせて、リングの直径を変える必要があったり、高齢者や筋力が弱い人が装着する際、杖先ゴムが固くて外れにくく、装着が困難だった。又、略リング型の場合、外れやすかった。従って、杖の支柱の直径に係わらずに装着でき、杖先ゴムを外さないで装着でき、外れにくい、杖の保持具の装着具が必要であった。よって、面ファスナーを用いて巻く形状にすることで、杖の支柱等装着する対象物を巻く時の内径を自由に調節でき、表面にカバーを付けて外側をカバーすることで面ファスナーを隠し、さらに外れにくい、杖の保持具等器具等を装着する為の、面ファスナーを用いた装着具を実現し、前述の欠点を解決するものである。
【課題を解決するための手段】
【０００４】  本考案は、帯状の巻物の形状である。まず、巻き始めの部分に、装着する杖の保持具または器具等を装着する。次に、およそ１周目に当たる部分は、外側に面ファスナーの雌又は雄を装着し、続くおよそ２周目に当たる部分は、外側に表面をカバーする表面カバーを装着し、内側に面ファスナーの雄又は雌を装着する。２周目の末端は、そのままおよそ表面カバーの始点の辺りで切るか、又は表面カバーの始点との合わせ目の少し手前で、切り替えを設ける。これは、装着するものの直径によって、巻く時の内径が変化し、それにより表面カバーの始点と終点の合わせ目が変わることに対応するものである。よって、杖の支柱等装着する対象物を巻く時の内径を自由に調節でき、外側をカバーして面ファスナーを隠し、さらに外れにくいことで、前述の欠点を解決するものである。
【考案の効果】
【０００５】  上述の様に、本考案の面ファスナーを用いた装着具は、杖の支柱の直径等装着する対象物の直径の太い細いに係わらず使用できる。又、杖に装着する場合、高齢者や筋力の弱い人でも、杖先ゴムを外して、杖の支柱の下等から通す必要なく、装着できるので、固いゴムを外す必要がなく、容易に装着することが可能である。さらに、表面カバーを設けることで、装着した状態で面ファスナーがほぼ見えないので、外観を美しく保つことができる。よって、高齢者等も容易に装着できるため、福祉や生活利便の向上等に役立つ。
【考案を実施するための最良の形態】
【０００６】  本考案は、帯状の巻物の形状である。まず、巻き始めの部分に、装着する杖の保持具または器具等を装着する。次に、およそ１周目に当たる部分は、外側に面ファスナーの雌又は雄を装着し、内側にはすべり止めを付けると滑り落ちにくくなる。続くおよそ２周目に当たる部分は、外側に表面をカバーする表面カバーを装着し、内側に面ファスナーの雄又は雌を装着する。２周目の末端は、そのままおよそ表面カバーの始点の辺りで切るか、又は表面カバーの始点との合わせ目の少し手前で、切り替えを設ける。これは、装着するものの直径によって、巻く時の内径が変化し、それにより表面カバーの始点と終点の合わせ目が変わることに対応するものである。又、内径の変化によって現れる表面カバーの始点と終点の間の、１周目の面ファスナーを、表面カバーの色に近いものにすることも可能である。
【実施例１】
【０００７】  以下本考案を限定することを目的としない、本考案の実施例１を、添付図面に従って説明する。本実施例は、杖の保持具の装着具の場合で、帯状の巻物の形状に切り替えを設けない場合である。帯状の形状に、まず、巻き始めの部分に、装着する杖の保持具または器具等を装着する。次に、およそ１周目に当たる部分は、外側に面ファスナーの雌又は雄を装着し、内側にはすべり止めを付けるとよりよい。続くおよそ２周目に当たる部分は、外側に表面をカバーする表面カバーを装着し、内側に面ファスナーの雄又は雌を装着する。表面カバーは、皮、合皮、布、ビニール等適宜素材で形成する。２周目の末端は、そのままおよそ表面カバーの始点の辺りで切る。さらに、内径の変化によって現れる、表面カバーの始点と終点の間の１周目の面ファスナーを、表面カバーの色に近いものにする。
【実施例２】
【０００８】  以下本考案を限定することを目的としない、本考案の実施例２を、添付図面に従って説明する。本実施例は、杖の保持具の装着具の場合で、帯状の巻物の形状に切り替えを設ける場合である。まず、実施例１のように１周目、２周目を形成する。次に、２周目の末端は、表面カバーの始点との合わせ目の少し手前で切り替えを設ける。切り替えから末端にかけても、外側には表面カバーを装着し、内側には面ファスナーを装着する。切り替えに近い部分は雄雌兼用の面ファスナーを用いると、ふくらみが出来たときに接合することが出来る。装着する時は、終点部分は、表面カバーの始点と終点が合うように面ファスナーで接着する。さらに、内径の変化によって現れる、表面カバーの始点と終点の間の１周目の面ファスナーを、表面カバーの色に近いものにする。【０００９】  本考案の一実施例は上述の如き構成からなるものであるから、杖の支柱等、装着する対象物の直径に係わらず使用でき、杖の補助具の場合、杖先ゴムを外さないで容易に装着でき、さらに外れにくい、面ファスナーを用いた装着具を可能にした。
【図面の簡単な説明】
【００１０】
【図１】面ファスナーを用いた装着具の実施例１の、（ａ）内側の展開図、（ｂ）外側の展開図
【図２】面ファスナーを用いた装着具の実施例１の使用例の正面図
【図３】面ファスナーを用いた装着具の実施例２の、（ａ）内側の展開図、（ｂ）外側の展開図
【図４】面ファスナーを用いた装着具の実施例２の使用例の正面図
【符号の説明】
【００１１】  １  面ファスナーの雄面
３  面ファスナーの雌面
５  すべり止め
６  杖の保持具
７  表面カバー
８  表面カバーと同色の面ファスナーの雌面
１１  杖
１５  雄雌兼用の面ファスナー
１６  切り替え
【図１】
0003120248.tif 000003
【図２】
0003120248.tif 000004
【図３】
0003120248.tif 000005
【図４】
0003120248.tif 000006